(57)【要約】【課題】あるエリアに滞在するユーザの属性を特定する。【解決手段】情報処理装置は、制御部及び記憶部を備える。制御部は、記憶部に記憶された測位情報を参照して、指定エリアに滞在した携帯端末のユーザを、当該指定エリアにおけるユーザの特性を示す少なくとも１つの属性に分類する。【選択図】図２
2014155099.tif 000002
【特許請求の範囲】
【請求項１】
携帯端末の測位情報を記憶する記憶手段と、
前記測位情報を参照して、指定エリアに滞在した携帯端末のユーザを、前記指定エリアにおける前記ユーザの特性を示す少なくとも１つの属性に分類する分類手段と
を備えることを特徴とする情報処理装置。
【請求項２】
前記分類手段は、前記測位情報から算出された前記指定エリアへの前記ユーザの滞在時間及び滞在頻度の少なくとも一方に基づいて、前記ユーザを、前記指定エリアへの滞在目的に関する前記属性のいずれかに分類することを特徴とする請求項１に記載の情報処理装置。
【請求項３】
前記指定エリアへの滞在目的に関する属性は、前記指定エリアに存在する施設の従業員、前記施設の顧客、前記指定エリアを通過した人、及び前記施設に出入りする業者の少なくともいずれかを示す属性を含むことを特徴とする請求項２に記載の情報処理装置。
【請求項４】
前記分類手段は、前記ユーザを、前記指定エリアと前記ユーザの行動拠点であるエリアとの間の位置関係に関する前記属性のいずれかに分類することを特徴とする請求項１から３のいずれか１つに記載の情報処理装置。
【請求項５】
前記ユーザの行動拠点であるエリアは、自宅エリア、勤務地エリア、及びその他の良く行くエリアの少なくともいずれかを含むことを特徴とする請求項４に記載の情報処理装置。
【請求項６】
前記分類手段は、前記測位情報に基づいて、前記ユーザを、前記指定エリアに滞在したときの前記ユーザの状態に関する属性のいずれかに分類することを特徴とする請求項１から５のいずれか１つに記載の情報処理装置。
【請求項７】
前記指定エリアに滞在したときの前記ユーザの状態に関する属性は、仕事前、仕事中、仕事後、及び休日の少なくともいずれかを示す属性を含むことを特徴とする請求項６に記載の情報処理装置。
【請求項８】
前記分類手段は、前記測位情報に基づいて、前記ユーザを、前記指定エリアまでの移動に使用した手段を示す属性のいずれかに分類することを特徴とする請求項１から７のいずれか１つに記載の情報処理装置。
【請求項９】
前記分類手段は、前記測位情報に基づいて、前記ユーザを、前記指定エリアと前記ユーザの外出の主目的地との間の関係に関する属性のいずれかに分類することを特徴とする請求項１から８のいずれか１つに記載の情報処理装置。
【請求項１０】
前記指定エリアと前記ユーザの外出の主目的地との間の関係に関する属性は、前記指定エリアへの滞在が、前記主目的地への滞在前であること、前記主目的地への滞在であること、及び前記主目的地への滞在後であることの少なくともいずれかを示す属性を含むことを特徴とする請求項９に記載の情報処理装置。
【請求項１１】
前記指定エリアに位置する施設で提供するサービスについて、前記分類手段により分類した前記属性別のユーザ数の比率に応じた情報を出力する出力手段を備えることを特徴とする請求項１から１０のいずれか１つに記載の情報処理装置。
【請求項１２】
前記指定エリアは、道路又は鉄道の路線に沿うような形状を含むことを特徴とする請求項１から１１のいずれか１つに記載の情報処理装置。
【請求項１３】
制御部及び記憶部を備える情報処理装置において実施される情報処理方法であって、
前記記憶部に記憶された測位情報を参照して、指定エリアに滞在した携帯端末のユーザを、前記指定エリアにおける前記ユーザの特性を示す少なくとも１つの属性に分類する分類ステップを備えることを特徴とする情報処理方法。
【請求項１４】
コンピュータを、
携帯端末の測位情報を記憶する記憶手段、
前記測位情報を参照して、指定エリアに滞在した携帯端末のユーザを、前記指定エリアにおける前記ユーザの特性を示す少なくとも１つの属性に分類する分類手段、
として機能させるためのプログラム。
【発明の詳細な説明】
【技術分野】
【０００１】
本発明は、携帯端末の測位情報を処理する技術に関する。
【背景技術】
【０００２】
携帯端末の測位情報を用いて、あるエリアに滞在する携帯端末のユーザを特定する技術が知られている。例えば、特許文献１には、ＧＰＳ（Global Positioning System）衛星情報を用いて複数のＧＰＳ衛星からの信号を受信し、受信した信号を位置演算手段により演算することで装置の位置を特定する技術が記載されている。このように特定された装置の位置の情報を用いることで、あるエリアに滞在する装置（携帯端末）のユーザを把握することができる。
【先行技術文献】
【特許文献】
【０００３】
【特許文献１】特開２００６−２９２６１１公報
【発明の概要】
【発明が解決しようとする課題】
【０００４】
ユーザがエリアに滞在する目的、何をしている状態であるか、どこから来たのか、どのような移動手段で来たのかなどを示すユーザの属性は、ユーザによって様々である。しかしながら、上記の従来技術では、あるエリアに滞在するユーザを特定することはできても、そのユーザの属性を特定することはできない。
【０００５】
本発明は、上記に鑑みてなされたものである。本発明の目的は、あるエリアに滞在するユーザの属性を特定する技術を提供することである。
【課題を解決するための手段】
【０００６】
本発明に係る情報処理装置は、携帯端末の測位情報を記憶する記憶手段と、前記測位情報を参照して、指定エリアに滞在した携帯端末のユーザを、前記指定エリアにおける前記ユーザの特性を示す少なくとも１つの属性に分類する分類手段とを備えることを特徴とする。
【０００７】
本発明に係る情報処理方法は、制御部及び記憶部を備える情報処理装置において実施される情報処理方法であって、前記記憶部に記憶された測位情報を参照して、指定エリアに滞在した携帯端末のユーザを、前記指定エリアにおける前記ユーザの特性を示す少なくとも１つの属性に分類する分類ステップを備えることを特徴とする。
【０００８】
本発明に係るプログラムは、コンピュータを、携帯端末の測位情報を記憶する記憶手段、前記測位情報を参照して、指定エリアに滞在した携帯端末のユーザを、前記指定エリアにおける前記ユーザの特性を示す少なくとも１つの属性に分類する分類手段、として機能させることを特徴とする。
【０００９】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【発明の効果】
【００１０】
本発明によれば、あるエリアに滞在するユーザの属性を特定する技術を提供する技術を提供することができる。
【図面の簡単な説明】
【００１１】
【図１】一実施形態におけるシステムの構成を示す概念図である。
【図２】一実施形態におけるサーバ装置の機能構成を示すブロック図である。
【図３】一実施形態において、サーバ装置に記憶された情報の構成を示す図である。
【図４】一実施形態における属性の一例を説明するための図である。
【図５】一実施形態における属性の一例を説明するための図である。
【図６】一実施形態における属性の一例を説明するための図である。
【図７】一実施形態におけるサーバ装置で実行される処理を示すフローチャートである。
【発明を実施するための形態】
【００１２】
以下、本発明の実施形態について、図面を参照しつつ詳細に説明する。ただし、発明の範囲をこれらに限定するものではない。
【００１３】
また、本明細書等において、「部」とは、単に物理的構成を意味するものではなく、その構成が有する機能をソフトウェアによって実現する場合も含む。また、１つの構成が有する機能が２つ以上の物理的構成により実現されても、２つ以上の構成の機能が１つの物理的構成により実現されてもよい。
【００１４】
図１を参照して、一実施形態に係るシステムの構成を説明する。情報処理システム１は、サーバ装置１０及び複数の携帯端末２０などの情報処理装置を主に備えて構成される。サーバ装置１０と複数の携帯端末２０とは、ネットワークＮを介して相互に通信することができる。なお、図１では、３つの携帯端末２０が記載されているが、サーバ装置１０と通信可能な携帯端末２０の数は、任意である。
【００１５】
ネットワークＮは、サーバ装置１０と携帯端末２０との間で情報を送受信するための通信回線である。例えば、ネットワークＮは、インターネット、ＬＡＮ、専用線、パケット通信網、電話回線、企業内ネットワーク、その他の通信回線、それらの組み合わせ等のいずれであってもよく、有線であるか無線であるかを問わない。
【００１６】
サーバ装置１０は、ハードウェア構成として、制御部１１、通信部１４、及び記憶部１５を主に備える。制御部１１は、ＣＰＵ（Ｃｅｎｔｒａｌ  Ｐｒｏｃｅｓｓｉｎｇ  Ｕｎｉｔ）１２及びメモリ１３を主に備えて構成される。サーバ装置１０は、専用又は汎用のサーバ・コンピュータなどの情報処理装置を用いて実現することができ、例えば、ＣＰＵ１２がメモリ１３等に格納された所定のプログラムを実行することにより、各種の機能実現手段として機能する。なお、サーバ装置１０は、単一の情報処理装置より構成されるものであっても、ネットワーク上に分散した複数の情報処理装置より構成されるものであってもよい。
【００１７】
制御部１１では、ＣＰＵ１２は、記憶部１５等に記憶されたプログラムをメモリ１３に展開して実行することにより、サーバ装置１０が備える各種構成の動作を制御し、また、各種処理の実行を制御する。制御部１１において実行される処理の詳細は後述する。
【００１８】
通信部１４は、ネットワークＮを介して携帯端末２０等の各種情報処理装置との間で通信をするための通信インタフェースである。通信部１４は、例えば、携帯端末２０からの測位情報など、各種情報を受信する。
【００１９】
記憶部１５は、ハードディスク等の記憶装置によって構成される。記憶部１５は、制御部１１における処理の実行に必要な各種プログラムや、制御部１１による処理結果の情報など、各種の情報を記憶する。記憶部１５に記憶されている情報の具体例については後述する。
【００２０】
携帯端末２０は、例えば、携帯電話機、ＰＤＡ、パーソナルコンピュータなどの現在位置を測位した測位情報を所定時間間隔でアップロードする機能を備えた情報端末を適用することができる。携帯端末２０は、図示しないが、主制御部、通信部、表示部、操作部、記憶部、測位処理部などの各種機能実現手段を主に備える。
【００２１】
図２を参照して、一実施形態に係るサーバ装置１０の機能構成を説明する。サーバ装置１０は、機能構成として、行動拠点設定部１１１、携帯端末特定部１１２、属性分類部１１３、ユーザ集計部１１４、情報出力部１１５、及びデータベース１５１を主に備える。これらの機能は、例えば、制御部１１において、ＣＰＵ１２が、記憶部１５等に記憶されたプログラムをメモリ１３に展開して実行することにより実現される。
【００２２】
行動拠点設定部１１１は、各携帯端末２０についての測位情報に基づいて、携帯端末２０のユーザの行動パターンを分析し、地図を区分することで予め定義したエリアの中からユーザの行動拠点が存在するエリアを選択して設定する。当該エリアは、任意のサイズ及び形状で定義することができる。行動拠点設定部１１１は、当該設定されたエリアの情報をユーザの情報と関連付けて行動拠点情報としてデータベース１５１に記憶する。予め定義したエリアの情報は、地図情報としてデータベース１５１に記憶されている。行動拠点が存在するエリア（行動拠点エリア）としては、例えば、自宅エリア、勤務地エリア、その他の良く行くエリアなどがある。
【００２３】
例えば、行動拠点設定部１１１は、まず、データベース１５１に記憶された測位情報に基づいて、あるユーザの所定の期間における測位回数、滞在秒数及び滞在日数のうちの少なくとも２つ以上の組合せが、所定の閾値以上であるエリアを特定する。行動拠点設定部１１１は、特定されたエリアのうち、滞在日数が最大であるエリアを自宅エリアとして、滞在秒数が最大であるエリアを勤務地エリアとして、その他のエリアをその他の良く行くエリアとしてそれぞれ設定する。なお、この例では、ユーザの行動パターンを分析することによって行動拠点エリアを設定しているが、この方法に限定されない。行動拠点設定部１１１は、例えば、ユーザからの申告（例えば、Ｗｅｂやメールを介しての登録申請、又はアンケートの提出）等によって得られた自宅や勤務地等の位置の情報に基づいて、行動拠点エリアを設定してもよい。また、設定された行動拠点エリアの情報をサーバ装置１０のデータベース１５１に記憶しているが、これに限定されず、サーバ装置１０以外の他の装置に記憶してもよい。
【００２４】
図３（Ａ）は、データベース１５１に記憶された測位情報の例を示している。この例では、測位情報は、ユーザが所持する携帯端末の識別子（携帯端末ＩＤ）、測位された日時（測位時刻）、及び測位された位置（緯度、経度）の情報を含んでいる。
【００２５】
図３（Ｂ）は、データベース１５１に記憶された行動拠点情報の例を示している。この例では、行動拠点情報は、ユーザが所持する携帯端末の識別子（携帯端末ＩＤ）、行動拠点の設定対象となるエリアの識別子（エリアＩＤ）、並びに該当ユーザ及びエリアに対して設定された行動拠点の種別（行動拠点エリア）の情報を含んでいる。
【００２６】
携帯端末特定部１１２は、測位情報に基づいて、指定エリアに指定時間帯に滞在していた携帯端末２０を特定する処理を行う。具体的には、携帯端末特定部１１２は、データベース１５１に記憶された携帯端末２０の測位情報に含まれる携帯端末ＩＤ、測位時刻及び測位位置の情報を用いて、指定エリアに指定時間帯に測位された携帯端末２０を特定する。指定エリア及び指定時間帯は、サーバ装置１０のユーザ又は外部のコンピュータからの指示に応じて設定される。なお、指定エリアは、任意の形状及びサイズで指定することができる。例えば、指定エリアを円や矩形の形状としても良いし、何らかの施設（例えば、ショップ、デパート、スーパー、飲食店、ショッピングモール、アウトレット、アミューズメントパークなど）の周辺を囲むような形状でもよいし、道路や鉄道などの路線に沿うような形状でもよい。
【００２７】
属性分類部１１３は、携帯端末特定部１１２により指定エリアにおいて特定された携帯端末２０のユーザを、当該指定エリアにおけるユーザの特性を示す少なくとも１つの属性（以下、ユーザ属性）に分類する。属性分類部１１３は、分類したユーザ属性の情報を携帯端末２０の情報と関連付けてデータベース１５１に記憶する。このユーザ属性には、様々な種類がある。なお、１人のユーザは、１つのユーザ属性に分類されることも複数のユーザ属性に分類されることもできる。また、同じユーザであっても、指定エリアに応じて異なるユーザ属性に分類される。以下に、ユーザ属性の例と、各ユーザ属性への分類の処理について詳細に説明する。
【００２８】
（１）滞在目的属性
滞在目的属性とは、指定エリアへの滞在目的に関する属性である。属性分類部１１３は、データベース１５１に記憶された測位情報を参照して指定エリアにおけるユーザの滞在時間及び滞在頻度を算出し、当該算出された滞在時間及び滞在頻度の少なくとも一方に基づいて、滞在目的属性のいずれかにユーザを分類することができる。
【００２９】
滞在目的属性の値としては、例えば、ユーザが、その指定エリアに位置する施設（例えば、ショップ、デパート、スーパー、飲食店、ショッピングモール、アウトレット、アミューズメントパークなど）の顧客であることを示す「顧客」、その施設で働く従業員であることを示す「従業員」、その施設に出入りしている業者であることを示す「業者」、又はその施設内又は近隣を通りがかったことを示す「通過」などが考えられる。
【００３０】
図４を参照して、上記の滞在目的属性のいずれかにユーザを分類する方法の例を説明する。例えば、ユーザＡの指定エリアへの滞在頻度が所定の範囲（例えば、３日／１週間以下）であり、滞在時間が所定の範囲（例えば、０．５〜２時間／１日）である場合、ユーザＡを「顧客」に分類することができる。また、ユーザＢの指定エリアへの滞在時間が長く（例えば、６時間／１日以上）、滞在頻度が高い（例えば、４日／１週間以上）場合、ユーザＢを「従業員」に分類することができる。また、ユーザＣの指定エリアへの滞在時間が所定の範囲（例えば、０．５〜１時間／１日）であり、滞在頻度が高い（例えば、４日／１週間以上）場合、ユーザＣを「業者」に分類することができる。また、ユーザＤの指定エリアへの滞在時間が短い（例えば、５分／１日以下）場合、ユーザＤを「通過」に分類することができる。
【００３１】
なお、上記の分類後、さらに詳細なユーザ属性にユーザを分類することができる。例えば、「従業員」に分類されたユーザをさらに、滞在時間及び滞在頻度に応じて「正社員」又は「パートタイム」に分類することもできる。他の例として、「顧客」に分類されたユーザのうち、指定エリア内の施設に滞在する前に滞在した場所が他の施設（商店、デパートなど）であることを測位情報が示している携帯端末２０のユーザを「買い周り客」に分類することもできる。また、「業者」に分類するための条件として、指定エリアに滞在する前に滞在した場所が所定の場所（例えば、倉庫や工場）であることをユーザの携帯端末２０の測位情報が示していることを条件に加えても良い。
【００３２】
（２）行動拠点位置関係属性
行動拠点位置関係属性は、指定エリアと、ユーザの行動拠点エリア（例えば、自宅エリア、勤務地エリア、その他の良く行くエリア）との間の位置関係に関する属性である。属性分類部１１３は、指定エリアと、行動拠点設定部１１１によりデータベース１５１に記憶されたユーザの行動拠点エリアの情報とに基づいて、行動拠点位置関係属性のいずれかにユーザを分類することができる。
【００３３】
行動拠点位置関係属性の値としては、指定エリアが、ユーザの自宅の近くであることを示す「自宅エリア」、ユーザの勤務地の近くであることを示す「勤務地エリア」、又はその他の良く行く場所の近くであることを示す「その他の良く行くエリア」などが考えられる。さらに、指定エリアがユーザのいずれの行動拠点エリアからも離れている場合、そのことを示す行動拠点位置関係属性の値を「遠方エリア」とすることもできる。
【００３４】
図５を参照して、上記の行動拠点位置関係属性のいずれかにユーザを分類する方法の例を説明する。同図において、指定エリアは、ユーザＥの自宅の近隣であるユーザＥの自宅エリア内に含まれている。このとき、ユーザＥの携帯端末２０が指定エリアに滞在しているとして携帯端末特定部１１２により特定された場合、属性分類部１１３は、ユーザＥの行動拠点位置関係属性を「自宅エリア」に分類する。また、指定エリアは、ユーザＦの勤務地の近隣であるユーザＦの勤務地エリア内に含まれている。このとき、ユーザＦの携帯端末２０が指定エリアに滞在しているとして携帯端末特定部１１２により特定された場合、属性分類部１１３は、ユーザＦの行動拠点位置関係属性を「勤務地エリア」に分類する。また、指定エリアは、ユーザＧが良く行くエリアのうち、自宅又は勤務地以外のエリアに含まれている。このとき、ユーザＧの携帯端末２０が指定エリアに滞在しているとして携帯端末特定部１１２により特定された場合、属性分類部１１３は、ユーザＧの行動拠点位置関係属性を「その他の良く行くエリア」に分類する。
【００３５】
（３）ユーザ状態属性
ユーザ状態属性は、指定エリアに滞在したときのユーザの状態に関する属性である。属性分類部１１３は、データベース１５１に記憶された測位情報に基づいて、ユーザをユーザ状態属性のいずれかに分類することができる。例えば、ユーザが指定エリアに滞在した後に勤務地エリアに滞在していたことをデータベース１５１に記憶された測位情報が示している場合、属性分類部１１３は、そのユーザのユーザ状態属性を「仕事前」に分類する。また、ユーザが指定エリアに滞在する前に勤務地エリアに滞在していたことをデータベース１５１に記憶された測位情報が示している場合、属性分類部１１３は、そのユーザのユーザ状態属性を「仕事後」に分類する。属性分類部１１３は、指定エリアとデータベース１５１のユーザ情報が示すユーザの勤務地エリアとが一致し、かつ、そのユーザが指定エリアに滞在していたことをデータベース１５１に記憶された測位情報が示している場合、属性分類部１１３は、そのユーザのユーザ状態属性を「仕事中」に分類する。ユーザが指定エリアに滞在した日にそのユーザが勤務地エリアに滞在していないことをデータベース１５１に記憶された測位情報が示している場合、属性分類部１１３は、そのユーザのユーザ状態属性を「休日」に分類する。
【００３６】
（４）移動手段属性
移動手段属性は、ユーザが指定エリアに進入するまでの移動に使用した手段を示す属性である。属性分類部１１３は、データベース１５１に記憶された測位情報に基づいて、移動手段属性のいずれかにユーザを分類することができる。使用した移動手段としては、例えば、車、電車、徒歩などが考えられる。いずれの移動手段を使用したかの判定は、任意の方法で行うことができる。例えば、属性分類部１１３は、測位情報を参照して、ユーザ（携帯端末２０）が指定エリアに進入するまでの移動の速度に応じて判定（例えば、１００ｍ／分以下は徒歩と判定）することができる。また、属性分類部１１３は、測位情報を参照して、ユーザ（携帯端末２０）が指定エリアに進入するまでの移動ルートに応じて判定（例えば、測位位置が電車の線路のルートに沿っているときは電車と判定）することができる。さらに、属性分類部１１３は、測位情報を参照して、ユーザ（携帯端末２０）が指定エリアに進入するまでの移動速度及び移動ルートに応じて判定（例えば、移動速度が２００ｍ／分であり、かつ、測位位置が道路に沿っているときは車と判定）することができる。
【００３７】
（５）主目的地関係属性
主目的地関係属性は、指定エリアとユーザの外出の主目的地との間の関係に関する属性である。ユーザの外出の主目的地とは、ユーザが外出をした時の主要な目的地である。属性分類部１１３は、例えば、データベース１５１に記憶された測位情報を参照して、ユーザが外出中に滞在した場所のうち、ユーザの自宅エリアから最も距離が離れている場所、又は最も滞在時間が長かった場所を主目的地として判定する。その後、属性分類部１１３は、データベース１５１に記憶された測位情報に基づいて、主目的地関係属性のいずれかにユーザを分類することができる。詳細には、属性分類部１１３は、例えば、測位情報を参照し、ユーザの指定エリアへの滞在と主目的地への滞在の順序を判定し、当該判定の結果に応じて、指定エリアへの滞在が主目的地への滞在前であることを示す「主目的前」、又は指定エリアへの滞在が主目的地への滞在後であることを示す「主目的後」のいずれかの主目的地関係属性にユーザを分類することができる。また、属性分類部１１３は、指定エリアと主目的地とが同じである場合、同じであることを示す主目的地関係属性である「主目的地」にユーザを分類することができる。
【００３８】
図６を参照して、上記の主目的地関係属性のいずれかにユーザを分類する方法の例を説明する。同図は、ユーザＨは、自宅を出た後、エリア１に滞在し、指定エリアに滞在し、エリア２に滞在し、最後に自宅に戻ったことを示している。この例において、エリア１が主目的地である場合、ユーザＨは、指定エリアへの滞在が主目的地への滞在後であることを示す主目的地関係属性に分類される。また、エリア２が主目的地である場合、ユーザＨは、指定エリアへの滞在が主目的地への滞在前であることを示す主目的地関係属性に分類される。
【００３９】
図３（Ｃ）は、属性分類部１１３により各ユーザに対して設定されデータベース１５１に記憶された属性情報（ユーザ属性の情報）の例を示している。この例では、属性情報は、ユーザが所持する携帯端末の識別子（携帯端末ＩＤ）、ユーザ属性を設定する対象となる指定エリアの識別子（エリアＩＤ）、ユーザ属性が設定された日時（設定日時）、設定される各ユーザ属性（滞在目的属性、行動拠点位置関係属性、ユーザ状態属性、移動手段属性、主目的地関係属性）の情報を含んでいる。
【００４０】
以上のように、属性分類部１１３による処理によれば、データベース１５１に記憶された測位情報を参照して、指定エリアに滞在した携帯端末２０のユーザを、当該指定エリアにおけるユーザの特性を示す少なくとも１つのユーザ属性に分類することができる（すなわち、指定エリアに滞在するユーザの属性を特定することができる）。分類されたユーザ属性の情報は、データベース１５１に記憶される。なお、１人のユーザは、１つのユーザ属性に分類されることも複数のユーザ属性に分類されることもできる。また、同じユーザであっても、指定エリアに応じて異なるユーザ属性に分類される。
【００４１】
ユーザ集計部１１４は、データベース１５１に記憶されたユーザ属性の情報を参照して、ある指定エリアに滞在したユーザ数をユーザ属性毎に集計する処理を行う。例えば、ユーザ集計部１１４は、データベース１５１に記憶された滞在目的属性の情報を参照し、上述した「顧客」、「従業員」、「業者」及び「通過」のそれぞれに分類されたユーザ別に、指定エリアに滞在したユーザの数を算出する。ユーザ集計部１１４は、算出された当該ユーザの数に基づいて、指定エリアに滞在したユーザの数のユーザ属性別の比率を算出することもできる。算出されたユーザの数及び比率の情報は、属性集計情報としてデータベース１５１に記憶される。
【００４２】
図３（Ｄ）は、ユーザ集計部１１４により集計されデータベース１５１に記憶された属性集計情報の例を示している。この例では、属性集計情報は、集計の対象となる指定エリアの識別子（エリアＩＤ）、集計の対象となる日付及び時間帯（日付、時間帯）、集計対象となるユーザ属性の種別（ユーザ属性）、集計対象の種別のユーザ属性の値（属性値）、集計対象の属性値に分類されているユーザの人数（人数）、並びに他の属性値に分類されているユーザの人数に対する集計対象の属性値に分類されているユーザの人数の比率（比率）の情報を含んでいる。
【００４３】
情報出力部１１５は、サーバ装置１０の各処理部１１１〜１１４による処理結果及びデータベース１５１に記憶された情報に基づいて、各種情報を出力する。出力された情報は、サーバ装置１０に接続されたモニターに表示させても良いし、外部コンピュータなどの外部装置に出力されても良い。例えば、情報出力部１１５は、ユーザ集計部１１４によって算出されたある指定エリアにおけるユーザ属性別のユーザ数の比率を参照し、その比率であるときにその指定エリアに位置する施設で提供するのに最適なサービス又は商品の内容の情報をデータベース１５１に記憶されたサービス関連情報から取得して出力する。すなわち、情報出力部１１５は、指定エリアに位置する施設で提供するサービス又は商品について、属性分類部１１３により分類した属性別のユーザ数の比率に応じた情報を出力する。データベース１５１に記憶されたサービス関連情報には、あるユーザ属性に分類されたユーザには、どのサービス又は商品が売れるかといった情報が含まれる。このサービス関連情報は、サービス又は商品を過去に提供又は販売したときに任意の方法で収集された情報に基づいて、データベース１５１に予め記憶される。
【００４４】
例えば、サービス関連情報には、コンビニエンスストアにおいて、行動拠点位置関係属性が「自宅エリア」であるユーザには、日用雑貨や未調理食品（野菜など）の商品が良く売れ、「勤務地エリア」であるユーザには、調理済み食品（弁当やおにぎりなど）の商品が良く売れる、という情報が含まれる。この例の場合、情報出力部１１５は、ユーザ集計部１１４によって算出されたある指定エリアにおけるユーザ属性別のユーザ数の比率に応じて、その指定エリアに位置するコンビニエンスストアで販売するのに最適な商品のラインナップの情報を出力することができる。
【００４５】
他の例として、サービス関連情報には、飲食店において、行動拠点位置関係属性が「勤務地エリア」であるユーザには、１０００円未満のメニューが注文されることが多く、「遠方エリア」であるユーザには、１０００円以上のメニューが注文されることが多い、という情報が含まれる。この例の場合、情報出力部１１５は、ユーザ集計部１１４によって算出されたある指定エリアにおけるユーザ属性別のユーザ数の比率に応じて、価格の観点でその指定エリアに位置する飲食店で提供するのに最適なメニューのラインナップの情報を出力することができる。
【００４６】
このように情報出力部１１５による処理によれば、指定エリアに滞在するユーザ属性別のユーザ数及び比率に応じて、その指定エリアに位置する施設で提供するのに最適なサービス又は商品の内容の情報を出力する。その結果、あるエリアにおいてビジネスを行う場合に最適な商品又はサービスの予測を行うことができる。
【００４７】
データベース１５１は、サーバ装置１０において実行される上記の処理に必要な情報、及び当該処理により生成された情報など、各種情報を記憶する。データベース１５１に記憶されている情報には、例えば、測位情報、地図情報、ユーザ情報、行動拠点情報、属性情報、属性集計情報、及びサービス関連情報が含まれる。記憶されている測位情報には、ＧＰＳ、基地局、ルーターなどからの信号に基づいて測位された携帯端末の測位情報が含まれる。なお、携帯端末を用いて行ったカード決済の履歴情報に含まれている位置情報や時間情報など、何らかの方法により取得された位置情報及び時間情報を補足的に測位情報に含めても良い。
【００４８】
次に、図７を参照して、サーバ装置１０において実行される処理のフローを説明する。この処理は、制御部１１が記憶部１５に記憶されたプログラムをメモリ１３に展開して実行することによって制御される。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００４９】
まず、ステップＳ１１において、制御部１１は、記憶部１５に予め記憶された測位情報に基づいて、指定エリアに指定時間帯に滞在していた携帯端末２０を特定する処理を行う。携帯端末２０を特定する処理の詳細は、携帯端末特定部１１２による処理の説明で記載したとおりである。
【００５０】
ステップＳ１２において、制御部１１は、ステップＳ１１の処理で指定エリアにおいて特定された携帯端末２０のユーザを、当該指定エリアにおけるユーザの特性を示す少なくとも１つのユーザ属性に分類する。制御部１１は、分類したユーザ属性の情報を携帯端末２０の情報と関連付けて記憶部１５に記憶する。ユーザをユーザ属性に分類する処理の詳細は、属性分類部１１３による処理の説明で記載したとおりである。
【００５１】
ステップＳ１３において、制御部１１は、記憶部１５に記憶されたユーザ属性の情報を参照して、ユーザ属性別に指定エリアに滞在したユーザの数及び比率を集計する。制御部１１は、集計の結果を記憶部１５に記憶する。ユーザの数及び比率を集計する処理の詳細は、ユーザ集計部１１４による処理の説明で記載したとおりである。
【００５２】
ステップＳ１４において、制御部１１は、記憶部１５に記憶されたユーザの数及び比率の情報を参照し、その比率であるときにその指定エリアに位置する施設で提供するのに最適なサービス又は商品の内容の情報を記憶部１５に記憶されたサービス関連情報から取得して出力する。
【００５３】
以上のように図７に示した処理によれば、指定エリアに滞在した携帯端末２０のユーザを、当該指定エリアにおけるユーザの特性を示す少なくとも１つのユーザ属性に分類することができる（すなわち、指定エリアに滞在するユーザの属性を特定することができる）。また、指定エリアに滞在するユーザ属性別のユーザ数及び比率に応じて、その指定エリアに位置する施設で提供するのに最適なサービス又は商品の内容の情報を出力することによって、その指定エリアにおいてビジネスを行う場合に最適な商品又はサービスの予測を行うことができる。
【００５４】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【符号の説明】
【００５５】
１  情報処理システム、１０  サーバ装置、１１  制御部、１２  ＣＰＵ、１３  メモリ、１４  通信部、１５  記憶部、２０  携帯端末
【図１】
2014155099.tif 000003
【図２】
2014155099.tif 000004
【図３】
2014155099.tif 000005
【図４】
2014155099.tif 000006
【図５】
2014155099.tif 000007
【図６】
2014155099.tif 000008
【図７】
2014155099.tif 000009